(57)【特許請求の範囲】
【請求項１】
収納空間の開口部を開閉するリッドの開閉操作装置において、
前記リッドに装着される本体と、
この本体に回動自在に軸支される操作ハンドルと、を備え、
前記本体に、壁面から延出し中間部で湾曲して延びる片持ち形状のばね片を一体形成し、
前記操作ハンドルは、前記リッドが前記収納空間の開口部を閉塞する状態で当該開口部周縁に設けた係止部と係合して当該リッドにより開口部の閉塞状態を保持するフック部と、支軸を中心に一方向へ回動操作して前記フック部の前記係止部に対する係合状態を解除するための操作部と、前記ばね片が当接し、前記操作部に作用する一方向への回動操作力とは反対向きの回動付勢力を当該ばね片から受けるばね片当接部と、を有することを特徴とするリッド開閉操作装置。
【請求項２】
前記ばね片は、中間部がＵ字状に湾曲形成してあることを特徴とする請求項１のリッド開閉操作装置。
【請求項３】
前記本体の壁面には、前記ばね片が自由端から入り込む切欠孔が形成してあることを特徴とする請求項１又は２のリッド開閉操作装置。
【請求項４】
前記操作ハンドルに形成したばね片当接部は、前記ばね片における前記切欠孔へ入り込んだ部分よりも基端部寄りの部位に当接することを特徴とする請求項３のリッド開閉操作装置。
【請求項５】
前記本体は、対向位置にある前壁及び後壁と、これら各壁の両端間をそれぞれ繋ぐ両側壁と、底部を形成する底壁とに囲まれた凹部を有し、前記両側壁にそれぞれ軸受が形成してあり、更に前記前壁から底壁にかけては略中央部に開口を形成しており、
前記操作ハンドルは、操作板と、この操作板の両側縁からそれぞれ支軸が延出し、これら支軸が前記軸受に軸支されており、更に当該操作板の前端縁中央部から前記フック部が延出し、当該フック部が前記本体の凹部から前記開口を透して外部へ突き出す構成となっており、
更に、前記本体における前記前壁の開口と両側端縁との間で、当該開口を中心とする対称位置に前記ばね片が形成してあり、
前記操作ハンドルのばね片当接部は、前記操作板の前端縁であって前記ばね片が当接する部位に形成してあることを特徴とする請求項１乃至４のいずれか一項に記載のリッド開閉操作装置。
【請求項６】
前記本体の凹部から前記開口を透して外部へ突き出すフック部が、前記収納空間の開口部周縁に設けた係止部との係合を解除する回動位置にあるとき、当該フック部の少なくとも引掛けエッジ部分を両側方から覆う被覆壁を、前記開口の縁部から外方へ突き出して前記本体に形成したことを特徴とする請求項５のリッド開閉操作装置。
【請求項７】
前記本体は、前記凹部の開口縁にフランジが形成してあり、
且つ、前記本体の前壁は、中間に段部が形成され、前記フランジから当該段部にかけてを上段壁とし、且つ前記段部から一段下がった部位が、前記後壁との間隔が前記上段壁よりも短い下段壁となっており、
前記前壁には、前記フランジとの間に第１係止部を構成する第１の係止脚が外方へ突き出して形成してあり、
前記後壁には、前記フランジとの間に溝状の第２係止部を構成する第２の係止脚が外方へ突き出して形成してあり、
前記リッドには、前記本体を装着する取付口が形成されており、
前記被覆壁を前記取付口に入れてから、前記本体の下段壁を前記取付口の一端縁に接触させ、この接触部分を支点として前記本体を回動させて前記取付口の他端縁に前記第２係止部を合わせるとともに、前記本体をスライドさせて前記取付口の他端縁へ前記第２係止部を係合させ、さらに当該第２係止部を支点として前記本体を回動させることにより前記上段壁を前記取付口内へ嵌め込み、且つ前記第１係止部を前記取付口の一端縁に係合させることで、前記本体が前記取付口に装着される構成となっていることを特徴とする請求項６のリッド開閉操作装置。
【請求項８】
前記被覆壁は、前記下段壁の表面よりも突出しており、この被覆壁と前記段部における下段壁から上段壁への立ち上がり部分の壁との間に、前記リッドの取付口の一端縁を差し込む支持溝を形成していることを特徴とする請求項７のリッド開閉操作装置。
【請求項９】
前記上段壁は、両側部が切り欠かれており、
前記第１の係止脚は、前記下段壁の表面から延出し、前記上段壁の両側方に延在するように形成してあることを特徴とする請求項７又は８のリッド開閉操作装置。
【請求項１０】
前記上段壁の両側部内側縁部を前記操作ハンドルのストッパとし、
前記操作ハンドルには、前記フック部を前記収納空間の係止部から係合解除する方向への回動操作終端位置で、前記ストッパに当接しそれ以上の回動を阻止する当接部が形成してあることを特徴とする請求項７乃至９のいずれか一項に記載のリッド開閉操作装置。
【発明の詳細な説明】
【技術分野】
【０００１】
この発明は、例えば、自動車内に設けられた収容空間等の開口部をリッドによって開閉するリッド開閉操作装置に関するものである。
【背景技術】
【０００２】
従来、この種のリッド開閉操作装置としては、特許文献１に開示されたものがある。特許文献１の図６、図７に開示された車両用収納部構造は、収容凹部ｂの開口部ｃが蓋体ｄによって閉塞される。この蓋体ｄの上端部には、略断面Ｌ字形のロックハンドルｇが軸ピンｎを介して揺動可能に設けられている。このロックハンドルｇは一端側が鈎状のロック片部ｈに形成されており、スプリングｉによって図７において反時計方向に回転付勢されている。また蓋体ｄの取り外しは、ロックハンドルｇを時計方向に揺動させて、ロック孔ｋの縁部からロック片部ｈの掛合を解除することによってなされる。
【特許文献１】特開２００４−４２８４８号公報
【発明の開示】
【発明が解決しようとする課題】
【０００３】
さて、特許文献１の発明は、ロック構造が蓋体、ロックハンドル、スプリングという三つの部品を組み合わせて形成される。このような従来のロック構造は、スプリングが別部品となっているため部品点数が多く、製品コストの高価格化と、組付け作業に手間がかかるという課題を有していた。
【０００４】
本発明は、このような事情に鑑みてなされたもので、ばね片を本体に一体的に成形することによって部品点数を減らし、製品のコストを軽減するとともに、組立時の手間を少なくするリッド開閉操作装置の提供を目的とする。
【課題を解決するための手段】
【０００５】
上記目的を達成するために、請求項１の発明は、
収納空間の開口部を開閉するリッドの開閉操作装置において、
前記リッドに装着される本体と、
この本体に回動自在に軸支される操作ハンドルと、を備え、
前記本体に、壁面から延出し中間部で湾曲して延びる片持ち形状のばね片を一体形成し、
前記操作ハンドルは、前記リッドが前記収納空間の開口部を閉塞する状態で当該開口部周縁に設けた係止部と係合して当該リッドにより開口部の閉塞状態を保持するフック部と、支軸を中心に一方向へ回動操作して前記フック部の前記係止部に対する係合状態を解除するための操作部と、前記ばね片が当接し、前記操作部に作用する一方向への回動操作力とは反対向きの回動付勢力を当該ばね片から受けるばね片当接部と、を有することを特徴とする。
【０００６】
また、請求項２の発明は、請求項１を前提として、前記ばね片が、中間部がＵ字状に湾曲形成してあることを特徴とする。
【０００７】
請求項３の発明は、請求項１または２のいずれか一項を前提として、前記本体の壁面に、前記ばね片が自由端から入り込む切欠孔が形成してあることを特徴とする。
【０００８】
請求項４の発明は、請求項３を前提として、前記操作ハンドルに形成したばね片当接部が、前記ばね片における前記切欠孔へ入り込んだ部分よりも基端部寄りの部位に当接することを特徴とする。
【０００９】
請求項５の発明は、請求項１乃至請求項４のいずれか一項を前提として、
前記本体が、対向位置にある前壁及び後壁と、これら各壁の両端間をそれぞれ繋ぐ両側壁と、底部を形成する底壁とに囲まれた凹部を有し、前記両側壁にそれぞれ軸受が形成してあり、更に前記前壁から底壁にかけては略中央部に開口を形成しており、
前記操作ハンドルは、操作板と、この操作板の両側縁からそれぞれ支軸が延出し、これら支軸が前記軸受に軸支されており、更に当該操作板の前端縁中央部から前記フック部が延出し、当該フック部が前記本体の凹部から前記開口を透して外部へ突き出す構成となっており、
更に、前記本体における前記前壁の開口と両側端縁との間で、当該開口を中心とする対称位置に前記ばね片が形成してあり、
前記操作ハンドルのばね片当接部は、前記操作板の前端縁であって前記ばね片が当接する部位に形成してあることを特徴とする。
【００１０】
請求項６の発明は、請求項５を前提として、
前記本体の凹部から前記開口を透して外部へ突き出すフック部が、前記収納空間の開口部周縁に設けた係止部との係合を解除する回動位置にあるとき、当該フック部の少なくとも引掛けエッジ部分を両側方から覆う被覆壁を、前記開口の縁部から外方へ突き出して前記本体に形成したことを特徴とする。
【００１１】
請求項７の発明は、請求項６を前提として、
前記本体は、前記凹部の開口縁にフランジが形成してあり、
且つ、前記本体の前壁は、中間に段部が形成され、前記フランジから当該段部にかけてを上段壁とし、且つ前記段部から一段下がった部位が、前記後壁との間隔が前記上段壁よりも短い下段壁となっており、
前記前壁には、前記フランジとの間に第１係止部を構成する第１の係止脚が外方へ突き出して形成してあり、
前記後壁には、前記フランジとの間に溝状の第２係止部を構成する第２の係止脚が外方へ突き出して形成してあり、
前記リッドには、前記本体を装着する取付口が形成されており、
前記被覆壁を前記取付口に入れてから、前記本体の下段壁を前記取付口の一端縁に接触させ、この接触部分を支点として前記本体を回動させて前記取付口の他端縁に前記第２係止部を合わせるとともに、前記本体をスライドさせて前記取付口の他端縁へ前記第２係止部を係合させ、さらに当該第２係止部を支点として前記本体を回動させることにより前記上段壁を前記取付口内へ嵌め込み、且つ前記第１係止部を前記取付口の一端縁に係合させることで、前記本体が前記取付口に装着される構成となっていることを特徴とする。
【００１２】
請求項８の発明は、請求項７を前提として、
前記被覆壁が、前記下段壁の表面よりも突出しており、この被覆壁と前記段部における下段壁から上段壁への立ち上がり部分の壁との間に、前記リッドの取付口の一端縁を差し込む支持溝を形成していることを特徴とする。
【００１３】
請求項９の発明は、請求項７又は８を前提として、
前記上段壁が、両側部が切り欠かれており、
前記第１の係止脚は、前記下段壁の表面から延出し、前記上段壁の両側方に延在するように形成してあることを特徴とする。
【００１４】
請求項１０の発明は、請求項７乃至９を前提として、
前記上段壁の両側部内側縁部を前記操作ハンドルのストッパとし、
前記操作ハンドルには、前記フック部を前記収納空間の係止部から係合解除する方向への回動操作終端位置で、前記ストッパに当接しそれ以上の回動を阻止する当接部が形成してあることを特徴とする。
【００１５】
よって、請求項１の発明にあっては、ばね片を一体形成したことによって、リッド開閉操作装置の部品点数を削減することができ、製品コストを低減するとともに、組立工数を減らして作業性の向上を図ることができる。
また、ばね片を、中間部で湾曲して延びる片持ち形状とすることで、狭小空間においても長く延ばして、ばね定数を小さくすることができる。これにより、リッドの開閉操作に際して、操作ハンドルを引き始めから引き終わりまで軽い力で操作でき、良好な操作性を得ることが可能となる。
【００１６】
請求項２の発明にあっては、ばね片の中間部をＵ字状に折り返すことで、このばね片を狭小空間においていっそう長く延ばして、ばね定数を小さくすることができる。
【００１７】
請求項３の発明によれば、ばね片を切欠孔へ入り込ませることによって、ばね片の延出長さをいっそう長く確保することが可能となる。
さらに、請求項４の発明によれば、ばね片は、ばね片当接部が当接する部位よりも先端側に、当該切込孔に入り込んだ部分が更に存在することとなるので、ばね片のたわみや振動などによって、操作ハンドルのばね片当接部がばね片の自由端から脱落してしまう事態を回避することが可能となる。
【００１８】
請求項５の発明にあっては、対称位置にあるばね片により操作ハンドルのばね片当接部に対して均一に付勢することができる。したがって操作ハンドルは、各支軸に偏った荷重を作用することなく、滑らかな回動操作が実現可能となる。
【００１９】
請求項６の発明にあっては、解除位置にあるフック部の引掛けエッジを被覆壁が覆っているので、リッドを開く際、解除位置にあるフック部の引掛けエッジが収納空間の開口部周縁等に引っ掛かるおそれがなく、リッドの開き動作を支障なく円滑に実行することが可能となる。
【００２０】
請求項７の発明にあっては、たとえ本体から被覆壁が突き出していても、リッドの取付口へ本体を装着することが可能となる。すなわち、被覆壁は、本体の開口縁部から外方へ突き出しており、本体の開口は前壁から底壁にかけて形成されている。したがって、被覆壁は前壁の近傍位置から外方に突き出している。
いま仮に、後壁側にある第２係止部をリッドに形成した取付口の他端縁に係合させ、ここを支点として本体を回動させて、前壁側にある第１係止部に取付口の一端縁を係合させようとした場合、前壁の近傍位置から突き出している被覆壁の回動軌跡がリッドの取付口端縁よりも外側をとおり、これら被覆壁とリッドの取付口周辺部とが干渉してしまうおそれがある。
これに対し、請求項７の構成とすれば、先に被覆壁をリッドの取付口に入れてから、取付後端縁への第１，第２係止部の係合を行うので、被覆壁の干渉が生じることなくリッドへの本体装着作業を実施することができる。
【００２１】
ここで、本体の下段壁をリッドに形成した取付口の一端縁に接触させ、この接触部分を支点として本体を回動させる際、力をかける方向を誤ると、下段壁が取付口の一端縁から離脱してしまうおそれがある。
請求項８の発明にあっては、支持溝を形成し、この支持溝にリッドの開口端縁を差し込み、ここを支点として本体を回動操作する構成としたので、回動操作の過程で、誤って下段壁が取付口の一端縁から離脱してしまうおそれがなくなる。
【００２２】
請求項９の発明にあっては、第１の係止脚を下段壁の表面から延出させたので、当該係止脚を長く延出させることができ、リッドの取付口端縁が係合する際の単位長さ当たりのたわみ量を少なくして内部応力を低減し、第１の係止脚の損傷防止を図ることができる。
しかも、上段壁の両側を切り欠いてその側方に第１の係止脚を配置したことにより、この第１の係止脚が本体の両側壁に形成した軸受の近傍位置へ配置されるので、軸受を介して伝えられる操作ハンドルの回動操作力を第１の係止脚に速やかに伝達して、この第１の係止脚で受けることができ、本体の歪みを抑制することが可能となる。
【００２３】
請求項１０にあっては、同じく本体の両側壁に形成した軸受の近傍位置で、操作ハンドルの回動操作を規制し、このときのストッパに作用した当接力を第１の係止脚に速やかに伝達して、この第１の係止脚で受けることができ、本体の歪みを抑制することが可能となる。
【発明の効果】
【００２４】
以上説明したように、本発明によれば、ばね片を本体に一体的に成形することによって部品点数を減らし、製品のコストを軽減するとともに、組立時の手間を少なくすることが可能となる。
【発明を実施するための最良の形態】
【００２５】
以下、この発明の実施の形態について図面を参照して詳細に説明する。
図１乃至図９は、本発明の実施形態に係るリッド開閉操作装置の構成を説明するための図である。図１は、リッド開閉操作装置の全体構成を示す斜視図であり、図２は、リッド開閉操作装置が取り付けられたリッドとその周辺構造を示す斜視図である。
図１及び図２に示すように、リッド開閉操作装置は、リッド１００に装着される本体１０と、この本体１０に回動自在に軸支される操作ハンドル３０と、を備えている。リッド１００は、自動車の荷室などに設けられた収容空間２００の開口部２０１を開閉する蓋の機能を有している。
【００２６】
図３は、リッド開閉操作装置の本体を示す図で、（ａ）は上面図、（ｂ）は正面図、（ｃ）は側面図である。また図４は、同じく本体の断面図であり、（ａ）は図３（ｂ）のＡＡ線側面断面図、（ｂ）は図３（ｂ）のＢＢ線側面断面図である。
図３に示すように、本体１０は、対向位置にある前壁１２及び後壁１３と、これら各壁１２，１３の両端間をそれぞれ繋ぐ両側壁１４，１４と、本体１０の底部を形成する底壁１１とに囲まれた凹部１５を有し、両側壁１４にそれぞれ軸受１６が形成してある。さらに、本体１０の前壁１２から底壁１１にかけては略中央部に開口１７が形成してある。この開口１７は、後述する操作ハンドル３０のフック部３３を凹部１５から外方へ突き出させるためのものである。また、開口１７の縁部から外構に向かっては、被覆壁２５が突き出して形成してある。この被覆壁２５の機能は後述する。
【００２７】
図４に示すように、本体１０には、片持ち形状のばね片１８が一体形成してある。このばね片１８は、前壁１２の壁面から内部側に向かって延出し、中間部がＵ字状に湾曲形成して、再び前壁１２に戻るように延在している。湾曲したばね片１８の先端は自由端１９となっている。
ばね片１８を本体１０と一体に形成することによって、リッド開閉操作装置の部品点数を削減することができ、製品コストを低減するとともに、組立工数の減らして作業性の向上を図ることができる。さらに、ばね片１８を、中間部で湾曲して延びる片持ち形状とすることで、狭小空間においても長く延ばして、ばね定数を小さくすることができる。特に、ばね片１８の中間部をＵ字状に折り返すことで、このばね片１８を狭小空間においていっそう長く延ばして、ばね定数を小さくすることができる。
【００２８】
また、ばね片１８は、図３（ｂ）に示すように、本体１０における前壁１２の開口１７と両側端縁との間で、この開口１７を中心とする左右対称な位置に一対設けてある。さらに本体１０の前壁１２の壁面には、ばね片１８の自由端１９が入り込む切欠孔２０が形成してある。このように、ばね片１８を切欠孔２０へ入り込ませることによって、ばね片１８の延出長さをいっそう長く確保することが可能となる。
【００２９】
本体１０は、凹部１５の開口縁にフランジ２６が形成してある。さらに、図３（ａ）に示すように、本体１０の前壁１２には、中間に段部１２ａが形成され、フランジ２６から当該この段部１２ａにかけてが上段壁２３を構成するとともに、段部１２ａから一段下がった部位が下段壁２４を構成している。下段壁２４は、後壁１３との間隔が上段壁２３よりも短い。
【００３０】
そして、前壁１２には、フランジ２６との間に、第１係止部２１ａを構成する第１の係止脚２１が外方へ突き出して形成してある。一方、後壁１３には、フランジ２６との間に溝状の第２係止部２２ａを構成する第２の係止脚２２が外方へ突き出して形成してある。
ここで、上段壁２３は、両側部が切り欠かれている。そして、第１の係止脚２１は、下段壁２４の表面から延出し、上段壁２３の両側方に延在するように形成してある。
【００３１】
被覆壁２５は、下段壁２４の表面よりも突出しており、この被覆壁２５と段部１２ａにおける下段壁２４から上段壁２３への立ち上がり部分の壁との間に、支持溝２７が形成してある。
【００３２】
図５は、リッド開閉操作装置の操作ハンドルを示す図であり、（ａ）は上面図、（ｂ）は正面図、（ｃ）は側面図である。
操作ハンドル３０は、図５に示すように、操作板３１と、この操作板３１の両側縁からそれぞれ支軸３２が延出し、さらにこの操作板３１の縁中央部からフック部３３が延出している。操作板３１の前端縁には、フック部３３の両側に一対のばね片当接部３４が形成してある。一方、操作板３１の後端縁とその周辺部は、操作部３５を構成している。操作部３５とばね片当接部３４とは、一対の支軸３２をとおる回動軸を境界として、それぞれ反対側に設けられている。
【００３３】
図６は、本体に操作ハンドルが組み付けられたリッド開閉操作装置の全体構造を示す断面図であり、（ａ）は図４（ａ）と同一線上の側面断面図、（ｂ）は図４（ｂ）と同一線上の側面断面図である。
操作ハンドル３０は、支軸３２が本体１０の軸受１６に軸支され、この支軸１６を中心に回動自在となっている。操作板３１の表面は本体１０における凹部１５の開口面とほぼ面一に配置されている。ユーザは、本体１０の凹部１５に指を差し入れて、凹部１５の内側から操作ハンドル３０の操作部３５を回動操作するようになっている。
【００３４】
操作ハンドル３０のフック部３３は、本体１０の凹部１５から開口１７を透して外部へ突き出しており、後述するとおり収納空間２００における開口部２０１の周縁に設けた係止口２０２の端縁と係合し、リッド１００の閉塞状態を保持する（図８（ａ）参照）。
【００３５】
図６（ｂ）に示すように、操作ハンドル３０を本体１０に組み込んだ状態にあっては、操作ハンドル３０のばね片当接部３４が、本体１０に一体形成したばね片１８に当接している。このとき、ばね片１８は、僅かながらたわませてあり、これによりばね片当接部３４には、ばね片１８から回動付勢力が作用している。操作ハンドル３０は、この回動付勢力をもって、フック部３０の脚部が本体１０の開口端縁１７ａに当接し、がたつきなく静止している（図６（ａ）参照）。
【００３６】
ここで、ばね片当接部３４は、ばね片１８の自由端１９と湾曲部との中間部に当接している。そして、この当接部分よりも先の自由端１９は、さらに本体１０の切欠孔２０へ入り込んで延びているので、ばね片１８のたわみや振動などによって、ばね片当接部３４がばね片１８の自由端１９から脱落してしまうおそれがなく、安定してばね片当接部３４を付勢することができる。
【００３７】
さらに、一対のばね片１８は、左右対称位置にてばね片当接部３４を均一に付勢するため、操作ハンドル３０は、各支軸３２に偏った荷重を作用することなく、滑らかな回動操作が実現可能となる。
【００３８】
また、操作ハンドル３０の前端縁には、ばね片当接部３４の側方に当接部３６が形成してある。一方、本体１０における上段壁２３の両側部内側縁部には、図７に示すように、操作ハンドル３０のストッパ２３ａが形成してある。
【００３９】
図８は、リッド開閉操作装置のリッドへの装着手順を示す側面断面図である。
リッド１００には、リッド開閉操作装置を装着するための取付口１０１が形成してある。取付口１０１は、リッド開閉操作装置を構成する本体１０における凹部１５の開口部外周形状に合わせて形成してあり、この凹部１５の開口部外周が、取付口１０の周縁部に嵌め込まれる。
【００４０】
リッド１００へのリッド開閉操作装置の装着は、まず被覆壁２５を取付口１０１に入れてから、本体１０の下段壁２４に形成した支持溝２７に取付口１０１の一端縁を差し込み（図８（ｂ）参照）、この支持溝２７部分を支点として本体１０を回動させ、取付口１０１の他端縁に第２係止部２２ａを合わせる（同図（ｃ）参照）。
次いで、本体１０を図８の下方へスライドさせて取付口１０１の他端縁へ第２係止部２２ａを係合させ、さらにこの第２係止部２２ａを支点として本体を回動させることにより上段壁２３を取付口１０１内へ嵌め込むとともに、第１係止部２１ａを取付口１０１の一端縁に係合させる（同図（ｄ）参照）。これにより、本体１０が取付口１０１に装着される。
【００４１】
図９は、本実施形態に係るリッドによって収納空間を閉塞した状態を示す側面断面図であり、（ａ）は操作ハンドルを回動する前の状態、（ｂ）は操作ハンドルの回動した後の状態をそれぞれ示している。
図２に示した収容空間２００の開口部２０１へリッド１００を嵌め込み、この開口部２０１を閉塞した状態にあっては、図９（ａ）に示すように、操作ハンドル３０をフック部３３が、開口部２１の周縁にあらかじめ穿設してある係止口２０２の周縁部（係止部）にエッジ部分３３ａが引っ掛かって係止される。このようにフック部３３が係止口２０２の周縁部に係止されることで、リッド１００は開口部２０１の閉塞状態を保持することができる。
【００４２】
開口部２０１からリッド１００を取り外す場合は、図９（ｂ）に示すように、操作ハンドル３０の操作部３１に、本体１０の凹部１５内から指を引っ掛け、操作ハンドル３０を支軸３２を中心に図の時計方向へ回動させる。この操作により、フック部３３も同方向へ回動し、係止口２０２の周縁部との係合が解除される。これにより、リッド１００を収容空間２００の開口部２０１から取り外し、開口部２０１を開放することができる。
【００４３】
ここで、上記回動操作の終端位置において、操作ハンドル３０の前端縁に形成した当接部３６が、本体１０のストッパ２３ａに当接して、それ以上の回動が阻止される。
【００４４】
なお、既述したように、リッド開閉操作装置の本体１０には、外周面の開口縁に沿って被覆壁２５が設けてある。この被覆壁２５は、図９（ｂ）に示すように、フック部３３が係止口２０２の周縁部との係合を解除する回動位置にあるとき、フック部３３の引掛けエッジ部分３３ａを両側方から覆う構成となっている。これにより、操作ハンドル３０の回動操作において、被覆壁２５がフック部３３の引掛けエッジ部分３３ａが、再び係止口２０２の周縁部等に引っ掛かるおそれがなく、リッド１００の取り外し操作を支障なく円滑に実行することが可能となる。
【００４５】
また操作ハンドル３０の回動操作によって、操作ハンドル３０のばね片当接部３４は、ばね片１８を押圧してたわませる。このため、ばね片１８は、ばね片当接部３４に対して反対向きの回動付勢力を与えることとなる。したがって、操作ハンドル３０から指を離したとき、ばね片１８からの回動付勢力により、操作ハンドル３０は図９の反時計方向へ回動して、図９（ａ）に示す元の回動位置へ復帰する。
【００４６】
ここで、ばね片１８による回動付勢力は、図１０に示すように、たわみ量及びばね定数の大きさに比例して大きくなる。本実施形態のばね片１８は、既述したように、ばねの長さを長く形成することでばね定数を小さく設定している。すなわち、本実施形態のばね片１８は、回動付勢力とたわみの比例関係が緩やかに上昇するように構成されている。このように、ばね片１８の回動付勢力を小さくすることにより、操作ハンドル３０を引き始めから引き終わりまで軽い力で引けるようになり、良好なハンドル操作性を得ることができる。
【００４７】
なお、本発明は、上述した実施形態に限定されるものではなく、種々の変形例や応用例が可能なことは勿論である。例えば、ばね片１８は、本実施形態のようにＵ字状に湾曲したものに限らず、底壁１１から延出し前壁１２に向かってＬ字状に湾曲形成した形状とすることもできる。
【図面の簡単な説明】
【００４８】
【図１】本実施形態に係るリッド開閉操作装置の全体構成を示す斜視図である。
【図２】本実施形態に係るリッド開閉操作装置が取り付けられたリッドとその周辺構造を示す斜視図である。
【図３】本実施形態に係るリッド開閉操作装置の本体を示す図で、（ａ）は上面図、（ｂ）は正面図、（ｃ）は側面図である。
【図４】同じく本実施形態に係るリッド開閉操作装置の本体を示す図で、（ａ）は図３（ｂ）のＡＡ線側面断面図、（ｂ）は図３（ｂ）のＢＢ線側面断面図である。
【図５】本実施形態に係るリッド開閉操作装置の操作ハンドルを示す図であり、（ａ）は上面図、（ｂ）は正面図、（ｃ）は側面図である。
【図６】本体に操作ハンドルが組み付けられたリッド開閉操作装置の全体構造を示す断面図であり、（ａ）は図４（ａ）と同一線上の側面断面図、（ｂ）は図４（ｂ）と同一線上の側面断面図である。
【図７】本体に形成したストッパと操作ハンドルに形成した当接部を示す側面断面図である。
【図８】本実施形態に係るリッド開閉操作装置のリッドへの装着手順を示す側面断面図である。
【図９】本実施形態に係るリッドによって収納空間を閉塞した状態を示す側面断面図であり、（ａ）は操作ハンドルを回動する前の状態、（ｂ）は操作ハンドルを回動した後の状態をそれぞれ示している。
【図１０】本実施形態に係るリッド開閉操作装置のばね片のたわみと回転付勢力の関係を示すグラフである。
【符号の説明】
【００４９】
１０：本体、１１：底壁、１２：前壁、１２ａ：段部、１３：後壁、１４：側壁、１５：凹部、１６：軸受、１７：開口、１７ａ：開口端縁、１８：ばね片、１９：自由端、
２０：切欠孔、２１：第１の係止脚、２１ａ：第１係止部、２２：第２の係止脚、２２ａ：第２係止部、２３：上段壁、２３ａ：ストッパ、２４：下段壁、２５：被覆壁、２６：フランジ、２７：支持溝
３０：操作ハンドル、３１：操作板、３２：支軸、３３：フック部、３４：ばね片当接部、３５：操作部、３６：当接部
１００：リッド、１０１：取付口
２００：収容空間、２０１：開口部、２０２：係止口
【図１】
0004933965.tif 000002
【図２】
0004933965.tif 000003
【図３】
0004933965.tif 000004
【図４】
0004933965.tif 000005
【図５】
0004933965.tif 000006
【図６】
0004933965.tif 000007
【図７】
0004933965.tif 000008
【図８】
0004933965.tif 000009
【図９】
0004933965.tif 000010
【図１０】
0004933965.tif 000011